(57)【要約】【課題】切離後は形状の異なる２つの手提げ袋が形成される袋素材であって、一方の袋は、加工の際に捨てられていた部分を利用して形成したことで、材料に無駄が出ないようにした袋素材を提供する。【解決手段】袋素材Ａはポリエチレン製ガゼットチューブに形成された上下開口部をシール部１２、１３でヒートシールして閉じて形成されている。シール部１２側の縁部にはシール部１３方向に向かってコの字状にミシン目１５が形成され、ミシン目１５の内側にはミシン目１５１、１５２に沿ってＬ字状のシール部１４が形成されている。シール部１４１は袋素材表裏及び折り込まれたガゼット１１が重なった部分をヒートシールしている。シール部１４２の左右両端部近傍は、袋素材表裏及び折り込まれたガゼット１１が重なった部分を一部ヒートシールしており、上記以外の部分は袋素材表裏をヒートシールしている。【選択図】        図１
2004338782.tif 000002
【特許請求の範囲】
【請求項１】
袋素材から一部を切離し、切離された部分と残された部分がそれぞれ袋を構成するものであって、
合成樹脂製のチューブ体の両開口部を閉じて袋素材（Ａ、Ｂ、Ｃ）が形成してあり、
該袋素材（Ａ、Ｂ、Ｃ）には、切離されたとき袋を構成する第１の領域（２、５）と、第１の領域の残り部分となって袋を構成する第２の領域（１、４）が切離線（１５）を介して設けてあり、
切離線（１５）から第１の領域（２、５）が切り離されたときには、第２の領域（１、４）は、開口部（１６）を挟んで両側に提げ手部（１７）が形成されるべく構成されていることを特徴とする、
袋素材。
【請求項２】
袋素材から一部を切離し、切離された部分と残された部分がそれぞれ袋を構成するものであって、
ガゼット折りされた合成樹脂製のチューブ体の両開口部を閉じて袋素材（Ａ、Ｂ、Ｃ）が形成されてあり、
袋素材（Ａ、Ｂ、Ｃ）の、一方のシール部（１２）側には、提げ手（１７）となる部分を残して切り離すことができるように、折り込まれたガゼット（１１）を含む重なり部分を貫通した切離線（１５）が設けてあり、
切離線（１５）の内側には切離線に沿ったシール部（１４）を設けてあり、
切離線から切り離される部分は、開口部（２２、５２）を有する袋（２、５）になるように構成されており、
切離線から切り離して残る部分は、開口部（１６）を有する手提げ袋（１、４）となるよう構成されていることを特徴とする、
袋素材。
【請求項３】
切り離されるよう構成してある袋（２、５）には、提げ手部（２１、５１）が形成されていることを特徴とする、
請求項１または２記載の袋素材。
【請求項４】
切り離されるよう構成してある袋（２、５）の開口部（２２、５２）にあたる部分には、提げ手部（２１、５１）が形成されてあり、
提げ手部（２１、５１）は、ガゼットの切り離される部分（２１、５１）で形成され、切離線の内側のシール部（１２、１４）のうちガゼットにかかる部分で開口部を構成する部分と繋がるよう構成されていることを特徴とする、
請求項２記載の袋素材。
【請求項５】
袋素材（Ｂ、Ｃ）表面に、
広告または宣伝、広告及び宣伝、文字、記号、図形、線図で表した情報（３０、３１）、または／および、袋の再使用を喚起する情報（３２）が表記されていることを特徴とする
請求項１、２、３または４記載の袋素材。
【発明の詳細な説明】
【０００１】
【発明の属する技術分野】
本発明は袋素材にかかり、更に詳しくは、切り離すと形状または大きさの異なる二つの袋が形成される袋素材、および、その袋素材表面に宣伝広告等を表記するものに関する。
【０００２】
【従来技術】
近年、我が国のスーパーマーケット等の商店では、買い物した商品を入れるために、ポリエチレン製等の手提げ袋（以下「レジ袋」という）を買い物客に配布するサービスを行っているところがほとんどである。
上記のレジ袋は、レジ係が配布しやすいようにレジ近くに備え付けることが多く、備え付けに便利なように掛着孔を設けたものや、より素早く取り外せるように切離線を挿通孔近傍に設けて、ちぎり取れるようにしたものがあった。
上記切離線が設けられたレジ袋に関する従来技術としては、例えば下記の特許文献に示すようなものがある。
【０００３】
【特許文献１】
特開平１３−１０６２４１号公報
【０００４】
【発明が解決しようとする課題】
しかし、特許文献１に示すように、挿通孔を設けた取着部を耳状に形成した場合、筒状フィルムを手提げ袋に加工する工程で切除した部分は、ごみとして捨てられていた。
また、レジ袋を配布する店舗においても、切り離し後の残った取着部は利用価値がないため、ごみの増加につながっていた。
上記の部分はごみになると同時に、資源の無駄でもあった。
【０００５】
また、現在我が国では、商品購入後レジ袋を配布する商習慣が定着しているが、多くの場合、レジ袋は一度きりの使用でそのまま捨てられるのが現状である。
結果的に、レジ袋を生産するために各種資源が無駄に消費され、更には、ごみとなったレジ袋の焼却等処分に要するエネルギー等も無駄となる。また、排出されるＣＯ２等は大気汚染を引き起こす一因でもあった。
この現状を打開すべく、近年、国は、容器包装リサイクル法を定めて、業者に容器・包装のリサイクルを義務付けており、また、地方自治体においても、レジ袋１枚あたりいくらという税金を課す条例等を定めるところもある。更にまた、個人でも、買い物した商品を入れる袋や籠等の容器（以下「マイバッグ」という）を持参して、レジ袋を受け取らないようにしている人もいる。
このように、レジ袋を含めた容器・包装削減の必要性は、既に社会的に認識されている。
【０００６】
一方、店舗側としては、レジ袋を仕入れ、更にそのリサイクル費用を負担するとなると、二重の負担を強いられることになる。
負担減を図るため、店側としては、上記の法律や条例による税金等の負担を軽減または客側に転換する方法、例えば、レジ袋の有料化、あるいは店頭でのマイバッグ持参の啓蒙活動等により、配布するレジ袋の減量を図る等の方法を取ることが考えられる。
しかし、環境問題を意識してマイバッグを持参する客はまだまだ少数であり、また、通常勤め帰りの客等大多数の買い物客は、嵩張るマイバッグを携帯しておらず、レジ袋を利用することが多い。そのため、レジ袋を有料化する方法あるいはマイバッグ持参を強制する方法は、客側の理解が得られないおそれがあり、ひいては客離れにつながる場合も考えられる。
結果として、レジ袋削減に取り組み、または取り組む意志を有する店側も、自己負担によりレジ袋を店頭で頒布している場合がほとんどという状況である。
【０００７】
（発明の目的）
そこで、本発明の目的は、切り離すと形状または大きさの異なる２つの手提げ袋が形成される袋素材であって、一方の袋は、従来加工の際に捨てられていた部分を利用して形成したことで、材料に無駄が出ないようにした袋素材を提供することにある。
また、他の目的としては、切り離す前はシート状にまとまっているため、表面部を宣伝広告等の情報表示媒体として利用できる袋素材を提供することにある。
更にまた、他の目的としては、切り離し後はレジ袋の反復使用を誘導するための付加価値をつけた情報を表記することで、ごみ減量及び省資源に役立つ袋素材を提供することにある。
【０００８】
【課題を解決するための手段】
上記目的を達成するために講じた本発明の手段は次のとおりである。
第１の発明にあっては、
袋素材から一部を切離し、切離された部分と残された部分がそれぞれ袋体を構成するものであって、
合成樹脂製のチューブ体の両開口部を閉じて袋素材が形成してあり、
該袋素材には、切離されたとき袋体を構成する第１の領域と、第１の領域の残り部分となって袋体を構成する第２の領域が切離線を介して設けてあり、
切離線から第１の領域が切り離されたときには、第２の領域は、開口部を挟んで両側に手提げ部が形成されるべく構成されていることを特徴とする、
袋素材である。
【０００９】
第２の発明にあっては、
ガゼット折りされたチューブ体の両開口部が接着され閉じて袋素材が形成されてあり、
袋素材の、一方のシール部側には、提げ手となる部分を残して切り離すことができるように、折り込まれたガゼットを含む重なり部分を貫通した切離線が設けてあり、
切離線の内側には切離線に沿ったシール部を設けてあり、
切離線から切り離される部分は、開口部を有する袋になるように構成されており、
切離線から切り離して残る部分は、開口部を有する手提げ袋となるよう構成されていることを特徴とする、
袋素材である。
【００１０】
第３の発明にあっては、
切り離されるよう構成してある袋には、提げ手部が形成されていることを特徴とする、
第１または第２の発明に係る袋素材である。
【００１１】
第４の発明にあっては、
切り離されるよう構成してある袋の開口部にあたる部分には、提げ手部が形成されてあり、
提げ手部は、ガゼットの切り離される部分で形成され、切離線の内側のシール部のうちガゼットにかかる部分で開口部を構成する部分と繋がるよう構成されていることを特徴とする、
第３の発明に係る袋素材である。
【００１２】
第５の発明にあっては、
袋素材表面に、
広告または宣伝、広告及び宣伝、文字、記号、図形、線図で表した情報、または／および、袋の再使用を喚起する情報が表記されていることを特徴とする
第１、第２、第３または第４の発明に係る袋素材である。
【００１３】
本発明において、「チューブ体」の用語には、ガゼット（マチ部）のないもの及びガゼットが設けられたものの両方を含む。「ガゼット折りされたチューブ体」の用語は、チューブ体の一部を内側に折り込んでガゼットを形成したものを意味する。
一般的に、ガゼット折りされたロール原反を定寸に巻き出しして、ヒートシールしてカットすれば袋を連続に作ることが出来る。
【００１４】
本明細書中において、「袋素材」とは、二つに切離する前の開口部が閉じられた状態のものを意味し、一方「袋」とは、二つに切離した後の開口部が形成された状態のものを意味する。
【００１５】
本発明において、領域の用語は、切離された後に袋となる部分を意味する。
【００１６】
本発明において、シール部の用語は、チューブ体の表面同士がくっついて離れないように接着された状態の部分を意味し、例えば、ヒートシール、接着剤による接着、縫合等した部分等が挙げられる。
【００１７】
本発明において、切離線の用語は、袋素材の各領域を切離するための目安となる線、または脆弱に形成された線を意味し、例えば、ミシン目若しくは他の部分より厚みを薄く形成するなどして切離できるようにした脆弱線等、鋏等で切る位置の目安を表示する切取線等が挙げられる。
【００１８】
本発明において、袋素材表面に表記される情報としては、例えば、売り出し広告、新商品の宣伝、可燃物の種類を表記したものや選挙等行政の情報等であってもよい。
【００１９】
本発明において、袋の再使用を喚起する情報とは、例えば、広告等の情報を表記した袋を持参して買い物をすると、購入額や来店回数に応じてポイントシールが貰え、更にポイントシールが所要枚数貯まると、商品、商品券、クーポン券、旅行券等との引き替え、現金のキャッシュバック、商品等をくじで当てるための抽選券との引き替える等の各種特典を付与する旨が表記された情報等をいう。また、バーコードに上記各種特典の情報を入力し、店頭で読み取れるようにしたもの等であってもよい。
【００２０】
本発明において、袋素材表面に表記する情報等の組み合わせとしては、広告または宣伝、広告及び宣伝、文字、記号、図形、線図で表した情報、または、袋の再使用を喚起する情報、あるいは、上記広告等の情報と袋の再使用を喚起する情報の組み合わせであってもよい。
【００２１】
（作用・効果）
合成樹脂製のチューブ体の両開口部を閉じて形成された袋素材には、切離されたとき袋を構成する第１の領域と、第１の領域の残り部分となって袋を構成する第２の領域が切離線を介して設けられており、切離線から第１の領域が切り離されたときには、第１の領域の袋および開口部を挟んで両側に提げ手部が形成された第２の領域の袋が形成される。これにより、形状の異なる２つの手提げ袋を得ることができ、また、加工の際に材料に無駄が出ない。
【００２２】
また、ガゼット折りされたチューブ体を使用した袋素材には、袋素材に係る一方のシール部に、提げ手となる部分を残して切り離すことができるよう切離線を形成し、切離線から切り離して残った部分は開口部を有する手提げ袋となり、切り離された部分も開口部を有する手提げ袋になるように形成されていることで、形状の異なる２つの手提げ袋を得ることができ、また、加工の際に材料に無駄が出ない。また、切り離された部分に係る袋にも提げ手部が形成されているため、下げて持ち運んだり、フック等に掛けて使用することが出来る。
従来ごみとして捨てられていた部分を無くすことで、ごみの減量にも役立ち、ひいてはＣＯ２削減効果があるため環境保全に貢献する。
【００２３】
袋素材表面に、広告または宣伝、広告及び宣伝、または文字、記号、図形、線図で表した情報が表記されているものは、従来の紙製の配布するビラ、新聞の折り込み広告と異なり、広告等を見た後にも袋として利用することができるため、無駄なごみが出ない。
また、広告付きの袋を店に持参した買物客に値引き等の特典を付与するなど、袋としての使用を喚起するようにすれば、袋の持参率の向上が期待でき、持参した袋に商品を入れて持ち帰って貰えば、店頭で袋を渡す必要が無くなる。
更にまた、広告の有効期限内に同じ袋を持参した者には反復して値引きをする等すれば、袋の再使用を喚起することになり、再来店時にも同じ袋の使用率が高くなることが期待でき、買い物の度に新しい袋を渡すという無駄が低減できる。これにより、省コスト、省資源効果が期待できる。
なお、袋に係る値引きの効果を広告掲載店等特定の店でしか使えないようにすれば、客の再来店を促進する効果も期待できる。
【００２４】
【発明の実施の形態】
本発明の実施の形態を図面に基づき更に詳細に説明する。
図１は、第１の実施の形態に係る袋素材の正面図である。図１を参照して本発明に係る袋素材の構造について説明する。
【００２５】
袋素材Ａは、ポリエチレン製ガゼットチューブを切断して形成されたもので、形成されている上下開口部を、シール部１２、１３でヒートシールして閉じて、形成されている。
本実施の形態における袋素材Ａは、縦４８ｃｍ、横２８ｃｍの長方形のシート状に形成されているが、その大きさは適宜設定できる。
【００２６】
袋素材Ａのシール部１２側の縁部には、シール部１３方向に向かってコの字状に切離線１５が切離線として形成されている。
なお、切離線１５は、ガゼット１１の所要の部分を切り取るために、折り込まれたガゼット１１を含んだ重なり部分を貫通するよう切り込んで形成されている。
【００２７】
図１において、縦方向に形成された切離線１５１、１５３は、互いに平行に形成されており、シール部１２側の縁部からシール部１３側へ向かって、１４ｃｍの長さに形成されている。
各切離線１５１、１５３は、ガゼット１１の折り返し部分１１２と所要の幅を空けて平行に形成されており、折り込まれたガゼット１１に重なって形成されている。
【００２８】
図１において、横方向に形成された切離線１５２は、上記の各切離線１５１、１５３に係るシール部１３側の端部を繋いで、１８ｃｍの長さに形成されている。
切離線１５２はシール部１２と平行になるよう形成されており、その両端部は、切離線１５１、１５３近傍で、折り込まれたガゼットの一部に重なって形成されている。
【００２９】
本実施の形態においては、切離線として切離線を用いているが、これに限定するものではなく、他の手段、例えば、鋏等で切る位置の目安を表示する切取線、他の部分より厚みを薄く形成してちぎれるようにした脆弱線等であってもよい。
なお、切離線等の切離線の位置、長さ、形状は上記のものに限定されるものではなく、必要な大きさ、形状の小袋を形成するために、好適に設定してもよい。
また、袋素材Ａは、ポリエチレン等の合成樹脂材に限定するものではなく、他の素材、例えば、紙、布、合成樹脂複合材料であってもよいが、加工の容易性から熱可塑性のものが好適である。
【００３０】
切離線１５の内側には、切離線１５１、１５２に沿ってＬ字状にヒートシールされた、シール部１４が形成されている。
図１において、縦方向に形成されたシール部１４１は、切離線１５１と平行に形成されており、シール部１２側の縁部からシール部１３側へ向かって、１３．５ｃｍの長さに形成されている。
シール部１４１は、袋素材表裏及び折り込まれたガゼット１１が重なった部分を、ヒートシールしている。
図１において、横方向に形成されたシール部１４２は、切離線１５２と平行に形成されており、シール部１４１に係るシール部１３側の端部から切離線１５３へ向かって、１７．５ｃｍの長さに形成されている。
シール部１４２の左右両端部近傍は、袋素材表裏及び折り込まれたガゼット１１が重なった部分を一部ヒートシールしており、上記以外の部分は袋素材表裏をヒートシールしている。
なお、シール部の位置、長さ、形状は上記のものに限定されるものではなく、必要な大きさ、形状の小袋を形成するために、好適に設定してもよい
【００３１】
（作  用）
図２は袋素材を二つに切り離した状態の説明図、
図３は手提げ袋の斜視図、
図４は小袋の斜視図である。
図２ないし図４を参照して、第１の実施の形態である袋素材の作用を説明する。
【００３２】
図２に示す袋素材Ａは、形成された切離線１５に沿って、手提げ袋１と小袋２を切り離した状態を示している。
【００３３】
図３を参照する。
切離線１５に沿って切り離して残った部分は、提げ手部１７を有するガゼット付手提げ袋１となる。なお、手提げ袋１は、不使用時に小袋２に畳んで収納することにより、嵩張らずに保管できる。
【００３４】
図４を参照する。
袋素材Ａから切り離された部分は、前述のシール部１２及び１４を形成したことで側部及び底部が塞がれて袋状になり、開口部２２を有する小袋２を形成する。
開口部２２近傍には提げ手部２１が形成されており、引き出して使用することができる。
提げ手部２１はガゼットの切り離される部分２１で形成されており、切離線の内側のシール部１２及び１４のうち、ガゼットにかかる部分で開口部２２と繋がるように形成されている。
【００３５】
図５は、第２の実施の形態に係る袋素材の正面図である。図５を参照して第２の実施の形態である袋素材の作用を説明する。なお、袋素材Ａと同一または同等の箇所は、同じ符号を付し、説明は省略する。
図５に示す袋素材Ｂは、図１に示す袋素材Ａとほぼ同様の構造であるが、袋素材Ｂの大きさは縦３６ｃｍ、横２６ｃｍ（いわゆるＢ４サイズ）の長方形のシート状と、新聞広告として折り込みやすいように、やや小型に形成されている点が相違する。
なお、上記Ｂ４サイズに限定するものではなく、大型に形成した袋素材を２つに畳んで、折り込む等してもよい。
【００３６】
袋素材Ｂには、スーパーマーケット等の特売情報を表記した広告３０、バーコード３１、貼付表３３が印刷されており、新聞の折り込み広告として用いるものである。手提げ袋１及び小袋２に切り離す前の袋素材Ｂは、閉じられた袋素材となっているので、まとまりがよく、新聞への折り込みがしやすい。
なお、広告３０等を表記した袋素材Ｂの頒布方法は、新聞折り込み広告に限定するものではなく、例えば、店舗、路上での袋素材の配布等であってもよい。
【００３７】
袋素材Ｂの提げ手部１７に印刷されたバーコード３１には、ＪＩＳの定める商品情報等ではなく、店舗の広告の有効期限、割引対象商品等の情報が入力されている。
会計の前あるいは後に、店舗にあるバーコード読取装置で、入力された情報を読み取って特定商品の価格を値引く等の優遇措置をする。これにより、広告が表記されたレジ袋１を持参した客とそれ以外の客の差別化を図り、袋持参・袋再使用の促進を図ることができる。
【００３８】
袋素材Ｂのうち小袋２には、貼付表３２が印刷されており、買い物をした客にはポイントシールを渡して貼付表３２に係る貼付部３３に貼って貰う。これにより、新たに台紙を作成し、配布する手間が省ける。
また、一定数のポイントシールが貯まれば、買い物券と引き替える等の優遇措置をすることで、再来店の促進を図ることができる。
【００３９】
広告等を印刷した袋素材Ｂは、従来の紙製の折り込み広告と異なり、袋として使用できるため、そのままごみになることを防ぐことができ、省資源の観点から好ましい。
店側としては、従来のレジ袋のように取着部のゴミが出なくなるため、ごみの減量につながる。
また、本発明に係る広告等付きの手提げ袋１を使用する客には割引等の特典を付与することで、袋を持参する客が増えて、店頭で配布するレジ袋の量が減る効果が期待できるため、省資源化、省コストが期待できる。
更にまた、通常はレジ袋は使い捨てされることが多いが、期間内は反復して割引の特典を得られるようにすれば、レジ袋の再利用を期待できるため、省資源、省コストにつながる。
一方、従来からの固定客のみならず、割引等の特典を目当てにして来る客による売り上げ増も期待できる。
【００４０】
なお、袋素材をＢ４より大きく形成した場合は、上下２つ折りにして、長手方向の端縁部を幅方向に２カ所平行にシール部を設け、該シール部の間に切離線を設ける（図面は省略する）と、袋素材の上下縁部が閉じられてまとまりがよくなり、機械で新聞に折り込む作業において好適である。
また、上記ヒートシールに代えて、ガゼット部側の縁部を長手方向に粘着テープで閉じてもよい。粘着テープは、長手方向中央部に切離線を設けて、切り離すことができるよう形成してもよい。
上記の閉じられた袋素材は、切離線に沿って切り離し、あるいは、粘着テープを剥がし、若しくは長手方向に鋏、カッター等で切り開き、あるいは、粘着テープに設けられた切離線に沿って切り離すと、図１に示す袋素材になるよう構成されている。
【００４１】
図６は、第３の実施の形態に係る袋素材の正面図である。図６を参照して本発明に係る袋素材の構造について説明する。なお、袋素材Ａと同一または同等の箇所は、同じ符号を付し、説明は省略する。
図６に示す袋素材Ｃはごみ袋として使用するものであり、図１に示す袋素材Ａとほぼ同様の構造であるが、袋素材Ｃの大きさは縦７０ｃｍ、横５０ｃｍの長方形のシート状と、やや大型に形成されている点が相違する。
また、小袋を水切り袋５として使用するため、水切り袋５の底部側近傍には水抜き孔５３が多数形成されており、この点において袋素材ＡまたはＢと相違する。
【００４２】
（作  用）
図７は本発明に係るごみ袋の使用状態を示す説明図、
図８は本発明に係る水切り袋の斜視図である。
図７及び図８を参照して本実施の形態である袋素材の作用を説明する。なお、図７及び図８に示すごみ袋４及び水切り袋５のうち、手提げ袋１及び小袋２と同一または同等の箇所には同じ符号を付し、説明を省略する。
【００４３】
図７に示す手提げ袋は、ごみ袋４として使用するものである。
ごみ袋４の各提げ手部１７は、手に提げる際に使用するほか、各々を結着して開口部を塞ぐための結着紐としても使用できる。
【００４４】
図８に示す小袋は、水切り袋５として使用するものである。
水切り袋５の開口部５２には、提げ手部５１が形成されている。
水切り袋５の底部近傍には、多数の水抜き孔５３が形成されている。
例えば、可燃ごみの日には、水切り袋５に入れられた生ゴミをごみ袋４に入れ、他の可燃ごみと一緒に廃棄すれば余剰の小袋が発生せず、無駄が少ない。
【００４５】
なお、本実施の形態では、小袋を水切り袋として使用し、袋の一部に水抜き孔を形成しているが、当該形態に限定するものではなく、例えば、小袋に水抜き孔を形成せず、不燃物・資源ごみを分別して入れる袋として使用してもよい。
また、図８に示す袋素材表面には、資源ごみ袋である旨が表記されているが、これに限定するものではなく、例えば、資源ごみの種類の一覧表や選挙日等の行政情報を記載した袋素材を自治体等が配布すれば、自治体等の発行する広報を普段読まない人もごみ出しする際に表示された情報が目にはいるので、投票率向上等の効果が期待できる
【００４６】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００４７】
【発明の効果】
本発明は上記構成を備え、次の効果を有する。
（１）本発明によれば、袋素材に設けられた切離線に沿って切り離すと、第１の領域の袋および開口部を挟んで両側に提げ手部が形成された第２の領域の袋が形成され、形状の異なる２つの手提げ袋を得ることができる。また、加工の際に材料に無駄が出ない。
従来ごみとして捨てられていた部分を無くすことで、ごみの減量にも役立ち、ひいてはＣＯ２削減効果があるため環境保全に貢献する。
（２）本発明によれば、ガゼット折りされたチューブ体を使用した袋素材は、形成された切離線に沿って切り離すと、切離線から切り離して残った部分は開口部を有する手提げ袋となり、切り離された部分も開口部を有する手提げ袋になるように形成され、形状の異なる２つの手提げ袋を得ることができる。また、加工の際に材料に無駄が出ない。更にまた、切り離された部分に係る袋にも提げ手部が形成されているため、下げて持ち運んだり、フック等に掛けて使用することが出来る。
従来ごみとして捨てられていた部分を無くすことで、ごみの減量にも役立ち、ひいてはＣＯ２削減効果があるため環境保全に貢献する。
（３）本発明によれば、袋素材表面に広告または宣伝、広告及び宣伝、または文字、記号、図形、線図で表した情報が表記されているものは、従来の紙製の配布するビラ、新聞の折り込み広告と異なり、広告等を見た後にも袋として利用することができるため、無駄なごみが出ない。
（４）本発明によれば、広告付きの袋を店に持参した買物客に値引き等の特典を付与するなど、袋としての使用を喚起するようにすれば、袋の持参率の向上が期待でき、持参した袋に商品を入れて持ち帰って貰えば、店頭で袋を渡す必要が無くなる。
更にまた、広告の有効期限内に同じ袋を持参した者には反復して値引きをする等すれば、袋の再使用を喚起することになり、再来店時にも同じ袋の使用率が高くなることが期待でき、買い物の度に新しい袋を渡すという無駄が低減できる。これにより、省コスト、省資源効果が期待できる。
なお、袋に係る値引きの効果を広告掲載店等特定の店でしか使えないようにすれば、客の再来店を促進する効果も期待できる。
（５）本発明によれば、従来の手提げ袋等で使用するガゼット折りしたチューブ体を使用し、切離線を形成してヒートシールするだけという容易な加工方法であるため、コストが安く済むという効果がある。
【図面の簡単な説明】
【図１】第１の実施の形態に係る袋素材の正面図。
【図２】袋素材を二つに切り離した状態の説明図。
【図３】手提げ袋の斜視図。
【図４】小袋の斜視図。
【図５】第２の実施の形態に係る袋素材の正面図。
【図６】第３の実施の形態に係る袋素材の正面図。
【図７】ごみ袋の使用状態を示す説明図。
【図８】水切り袋の斜視図。
【符号の説明】
Ａ      袋素材
１      手提げ袋
１１    ガゼット
１１２  折り返し部分
１２    シール部
１３    シール部
１４    シール部
１４１  シール部
１４２  シール部
１５    切離線
１５１  切離線
１５２  切離線
１５３  切離線
１６    開口部
１７    提げ手部
１７１  提げ手孔
２      小袋
２１    提げ手部
２２    開口部
Ｂ      袋素材
３０    広告
３１    バーコード
３２    貼付表
３３    貼付部
Ｃ      袋素材
４      ごみ袋
５      水切り袋
５１    提げ手部
５２    開口部
５３    水切り孔
【図１】
2004338782.tif 000003
【図２】
2004338782.tif 000004
【図３】
2004338782.tif 000005
【図４】
2004338782.tif 000006
【図５】
2004338782.tif 000007
【図６】
2004338782.tif 000008
【図７】
2004338782.tif 000009
【図８】
2004338782.tif 000010